(57)【要約】      （修正有）【課題】オイルライターの外装ケースを利用し、薬を少量ずつ取り出すことができるピルケースを提供する。【解決手段】有底筒体の底部ケースと、上面が塞がれた筒体からなり、底部ケースの上面を封止し得るように、底部ケースの上縁に下縁が回動可能に固定される蓋とからなるオイルライターの外装ケースに、外装ケースの内部に嵌入する側面及び底面を有する中空の箱体を有するピルケース本体を嵌め入れることで形成されるピルケースであり、ピルケース本体の箱体の上面には、上面が塞がれた一側面に開口部が形成される筒体であって底面で箱体内部に連通する取出し部を設け、取出し部は、ピルケース本体を外装ケースに嵌入し蓋が底部ケースの上面を封止した状態において、一側面が蓋内面に所定距離内に近接するように形成する。【選択図】図１
0003131341.tif 000002
【実用新案登録請求の範囲】
【請求項１】
有底筒体の底部ケースと、上面が塞がれた筒体からなり、前記底部ケースの上面を封止し得るように、前記底部ケースの上縁に下縁が回動可能に固定される蓋とからなるオイルライターの外装ケースと、
前記外装ケースの内部に嵌入する側面及び底面を有する中空の箱体を有するピルケース本体とからなるピルケースであって、
前記ピルケース本体の前記箱体の上面には、上面が塞がれた一側面に開口部が形成される筒体であって底面で前記箱体内部に連通する取出し部が設けられ、当該取出し部は、前記ピルケース本体を前記外装ケースに嵌入し前記蓋が前記底部ケースの上面を封止した状態において、前記一側面が前記蓋内面に所定距離内に近接するように形成される
ピルケース。
【請求項２】
前記ピルケース本体の前記箱体は、一側面が開閉可能に形成される請求項１に記載のピルケース。
【請求項３】
請求項１又は２に記載のピルケース本体。
【考案の詳細な説明】
【技術分野】
【０００１】
本考案は、オイルライターの外装ケースを利用したピルケースに関する。
【背景技術】
【０００２】
ジッポー（登録商標）製のライターのようなオイルライターは、外装ケース内に、ライターの機構部分が納められている場合が多い。外装ケースは通常は、有底の筒体からなる底部ケースと、上面が塞がれた筒体である蓋が開口縁同士で回動自在に固定され、両者が合わさることで箱体を形成する。
【考案の開示】
【考案が解決しようとする課題】
【０００３】
このような、オイルライターの外装ケースは内部のライター機構部分が壊れてしまうと、通常は、内部の機構部分とともに捨てられてしまうことが多い。しかし、ライターの外装ケースは意匠が施され携帯性もよいことから、捨ててしまうのはもったいない。外装ケースは中空の箱体なので、利用方法の一つとしてピルケースとして利用することが考えられる。しかし、外装ケースのままであると、開口部が大きくなりすぎるので、薬を一錠ずつ等、少量ずつ取り出すことが困難である。
本考案はこのような問題に鑑みて、オイルライターの外装ケースを利用し、薬を少量ずつ取り出すことができるピルケースを提供することを課題とする。
【課題を解決するための手段】
【０００４】
上記課題を解決するために、本考案は次のような構成を有する。
請求項１に記載の考案は、有底筒体の底部ケースと、上面が塞がれた筒体からなり、前記底部ケースの上面を封止し得るように、前記底部ケースの上縁に下縁が回動可能に固定される蓋とからなるオイルライターの外装ケースと、前記外装ケースの内部に嵌入する側面及び底面を有する中空の箱体を有するピルケース本体とからなるピルケースである。そして、前記ピルケース本体の前記箱体の上面には、上面が塞がれた一側面に開口部が形成される筒体であって底面で前記箱体内部に連通する取出し部が設けられ、当該取出し部は、ピルケース本体を外装ケースに嵌入し前記蓋が前記底部ケースの上面を封止した状態において、前記一側面が前記蓋内面に所定距離内に近接するように形成される。なお、この所定距離は、ピルケースに入れることが想定される薬の最小径以下であればよい。
請求項２に記載の考案は、前記ピルケースにおいて、前記ピルケース本体の前記箱体は、一側面が開閉可能に形成されるものである。
請求項３に記載の考案は、請求項１又は２に記載のピルケース本体である。
【考案の効果】
【０００５】
請求項１に記載の考案は、ピルケース本体の上面に設けられる取出し部の内容積及び開口の大きさを適切に定めることで、所望量の薬を取り出すことができ、また、外装ケースの蓋を閉じた状態において、蓋内面と取出し部の開口との距離が短いので、薬が蓋内に入ることがなく、また、外装ケースの蓋を開けると取り出し部の開口も開くので、外装ケースの蓋を内部のピルケースの蓋として使用することができる。
請求項２に記載の考案は、ピルケース本体の箱体の一側面を開閉可能とすることで、この一側面を開けてピルケース本体内に薬を入れた後に、ピルケース本体を外装ケースに嵌め入れると、この一側面は外装ケースの内壁に押さえられ開くことがないので、ピルケース本体に薬を入れるための開口部を閉じる蓋として特に固定部材等を設ける必要がなくなる。
請求項３に記載の考案は、オイルライターの外装ケースがあれば、上述したピルケースを実現することができる。
【考案を実施するための最良の形態】
【０００６】
以下、本考案の実施形態について、図を参照しながら説明する。
図１に本実施形態に係るピルケースＸの分解斜視図を示す。ピルケースＸはオイルライターの外装ケース２０と、外装ケース２０に内嵌されるピルケース本体１０とから構成される。外装ケース２０は、ここではジッポー社のオイルライターの外装ケース２０が使用される。外装ケース２０は、扁平な有底の角筒からなる底部ケース２１と、底部ケース２１上縁にヒンジにより回動可能に固定される上面が塞がれた扁平な角筒からなる蓋２２とから構成される。図１では、外装ケース２０の蓋２２が開いた状態を示しているが、蓋２２を底部ケース２１の方に回動させると底部ケース２１の上面を封止することができる。
【０００７】
ピルケース本体１０は、中空の扁平な直方体状の箱体１１と、箱体１１の上面に設けられる、扁平直方体状の上面が塞がれた角筒体である取出し部１２とから構成される。なお、取出し部１２の底面と箱体１１内部とは連通している。箱体１１は側面及び底面は前記が外装ケース２０の底部ケース２１に嵌入できる形状及び大きさを有し、上面は底部ケース２１の上縁より上方に位置している。箱体１１の面積の大きい２面には、摩擦抵抗を少なくするためにそれぞれ４つの扁平な円柱上の出っ張り２１ｂが設けられている。また、箱体１１の一側面は断面コの字状の板体からなる側面カバー１１ａとして着脱可能に形成されることで開閉可能となっている。取出し部１２は、箱体１１の面積の大きな面に連なる一面に開口１２ａが設けられている。開口１２ａは、想定される薬が一錠通ることができる程度の大きさに設定されている。また、箱体１１の上面側方には、バネにより上方に向う位置および側方に向う位置のいずれかに安定するように付勢されるカム機構１１ｃが設けれられている。このカム機構１１は、ピルケース本体１０を外装ケース２０内に嵌入した際に、外装ケース２０の蓋２２内に設けられる隙間２２ａに嵌ることで、蓋体を開いた状態又は閉じた状態に付勢するように機能する。
【０００８】
以上のような構成を有するピルケースＸの使用方法を説明すると、まず、図１のような状態において、薬をピルケース本体１０の箱体１１内に、側面カバー１１ａが嵌る開口から入れ、次に、側面カバー１１ａを嵌める。この状態のまま、ピルケース本体１０を底部からオイルライターの外装ケース２０の底部ケース２１内に嵌め入れる。これにより、図２に示すような状態となる。この状態で蓋２２を閉じて、持ち運ぶ。この状態において、ピルケース本体１０の取出し口１２の開口１２ａの前面と、蓋２２の内面との間に、箱体１１の出っ張り２１ｂの厚さ分だけ隙間が空く。通常、薬の最小径は出っ張り２１ｂの数倍の大きさがあるので、箱体１１内に収めた薬が蓋２２を閉じた状態で、蓋２２内にこぼれ落ちることはない。そして、薬を取り出す際には、蓋２２を開ければ、取出し口１２の開口１２ａが表出されるので、全体を傾けて薬を開口１２ａから取り出す。この際、開口の１２の大きさが制限されているので、薬を一錠ずつ取り出すことができる。薬がなくなれば、再び図１の状態として、薬を補充すればよい。
このように、本実施形態に係るピルケースＸは、オイルライターの外装ケース２０を利用して実現でき、外装ケース２０の蓋２１をピルケースＸの蓋と兼用して、少量ずつの薬を取り出すことができる。また、ピルケース本体１０があれば、異なる意匠を有するライターの外装ケースに変えることで、種々のデザインのバリエーションを楽しむことができる。
【図面の簡単な説明】
【０００９】
【図１】実施形態に係るピルケースの分解斜視図である。
【図２】実施形態に係るピルケースの蓋が開いた状態を示す斜視図である。
【符号の説明】
【００１０】
Ｘ      ピルケース
１０    ピルケース本体
１１    箱体
１１ａ  側面カバー
１１ｃ  カム機構
１２    取出し部
１２ａ  開口
【図１】
0003131341.tif 000003
【図２】
0003131341.tif 000004
【手続補正書】
【提出日】平成19年2月23日(2007.2.23)
【手続補正１】
【補正対象書類名】実用新案登録請求の範囲
【補正対象項目名】請求項３
【補正方法】変更
【補正の内容】
【請求項３】
有底筒体の底部ケースと、上面が塞がれた筒体からなり、前記底部ケースの上面を封止し得るように、前記底部ケースの上縁に下縁が回動可能に固定される蓋とからなるオイルライターの外装ケースの内部に嵌入する側面及び底面を有する中空の箱体を有するピルケース本体であって、
前記箱体の上面には、上面が塞がれた一側面に開口部が形成される筒体であって底面で前記箱体内部に連通する取出し部が設けられ、当該取出し部は、前記ピルケース本体を前記外装ケースに嵌入し前記蓋が前記底部ケースの上面を封止した状態において、前記一側面が前記蓋内面に所定距離内に近接するように形成されるピルケース本体。